(57)【要約】      （修正有）【課題】掃除機本体に収容された集塵体の集塵体吸込み口に対するシール性を確保できると共に、このシールを担う前側シール部材の耐久性及び集塵体の着脱性を向上する。【解決手段】電動送風機４が内蔵された掃除機本体２は、送風機４の前側に集塵体収容室２ａと、吸塵ホース１３が挿脱可能な本体吸込み口１１を有し、収容室２ａに上方から着脱される集塵体１５は、吸込み口１１に連通される集塵体吸込み口１７を有し、前側シール部材３１を、集塵体１５が収容室２ａに着脱される際の吸込み口１７の移動軌跡から前側に外れた退避位置及び後方で収容室２ａに収容された集塵体１５の吸込み口１７に押当てられるシール位置にわたって移動可能に設ける。集塵体１５の着脱にシール部材３１を連動させるレバー２１及び付勢ばね３３を有した連動手段２０を備え、集塵体が収容室２ａに挿入されていない状態でシール部材３１を退避位置に配置させる。【選択図】図２
2010194103.tif 000002
【特許請求の範囲】
【請求項１】
電動送風機が内蔵され、この電動送風機の前側に上端が開放された集塵体収容室を有し、これら電動送風機と集塵体収容室との間が通気部を有した仕切り壁で仕切られているとともに、吸塵ホースが挿脱可能に接続される本体吸込み口を有した掃除機本体と、
前記本体吸込み口に連通される集塵体吸込み口を有して前記集塵体収容室に上方から着脱可能に収容される集塵体と、
この集塵体が前記集塵体収容室に着脱される際の前記集塵体吸込み口の移動軌跡から前側に外れた退避位置及びこの退避位置より後方で前記集塵体収容室に収容された前記集塵体の前記集塵体吸込み口に押当てられるシール位置にわたって移動可能に設けられた前側シール部材と、
前記集塵体収容室に対する前記集塵体の着脱に連動させて、前記前側シール部材を前記両位置にわたって移動させるとともに前記集塵体が前記集塵体収容室に挿入されていない状態で前記前側シール部材を前記退避位置に配置させる連動手段と、
を具備したことを特徴とする電気掃除機。
【請求項２】
前記連動手段が、前記集塵体収容室に収容された前記集塵体を下側から受ける第１のアーム部、及びこのアーム部から上向きに突出されるとともに前記集塵体収容室の前側に配置されかつ前側シール部材が装着された第２のアーム部を有して、これらアーム部が連続された部位を中心に回動可能に設けられたレバーを備え、前記集塵体の着脱に伴う前記第２のアーム部の回動により前記前側シール部材が前記両位置にわたって移動されるようにしたことを特徴とする請求項１に記載の電気掃除機。
【請求項３】
前記前側シール部材が前記シール位置に配置された状態で前記レバーを固定するとともに、この固定を前記集塵体が前記集塵体収容室から取出される際に解除可能なロック手段を備え、かつ、前記連動手段が前記前側シール部材を前記退避位置に配置する方向に前記レバーを付勢する付勢ばねを備えていることを特徴とする請求項２に記載の電気掃除機。
【請求項４】
前記集塵体が後面に排気孔を有した集塵ユニットからなり、前記後面又はこの後面と対向する前記仕切り壁の内の一方に環状の後側シール部材を設け、前記集塵体が前記集塵体収容室に装着された状態で、前記前側シール部材が前記第２のアーム部と前記集塵体吸込み口とで挟持されるとともに前記後側シール部材が前記後面と前記仕切り壁とで挟持されるようにしたことを特徴とする請求項２又は３に記載の電気掃除機。
【請求項５】
前記第１のアーム部と第２のアーム部とが別部材であり、前記第１のアーム部が駆動部を有し、この駆動部が接離可能な受動部を前記第２のアーム部が有しているとともに、前記第２のアーム部が退避用ばねで付勢されており、前記集塵体収容室に対する前記集塵体の装着終期のみ前記駆動部が前記受動部に係合されて前記両アーム部が連動状態となり、それ以外の時期は前記両アーム部が非連動状態となることを特徴とする請求項２から４の内のいずれか一項に記載の電気掃除機。
【発明の詳細な説明】
【技術分野】
【０００１】
本発明は、掃除機本体内の吸込み風路中に設けた集塵体収容室に、吸引した塵を集める集塵ユニットや集塵袋等の集塵体が着脱可能に配置された電気掃除機に関する。
【背景技術】
【０００２】
掃除機本体内に上方に開放した集塵ユニット室を形成し、このユニット室に集塵ユニットが上方から着脱され、その装着状態で、掃除機本体の接続口と集塵ユニットの吸込接続口との連通部分でのシール性が確保されるようにした電気掃除機が知られている（例えば、特許文献１参照。）。
【０００３】
この電気掃除機では、集塵ユニット室の後側に電動送風機が内蔵されているとともに、この送風機と集塵ユニット室を連通する前面開口を有してこれら電動送風機と集塵ユニット室の間を仕切る接続風路部が掃除機本体に設けられ、この接続風路部の周部前面にリング形の後側シール部材が装着されている。更に、掃除機本体の前端部に集塵ホースが接続される接続口を設け、この接続口に前側シール部材が装着されている。
【０００４】
この前側シール部材は、弾性材製のパッキン部と、このパッキン部を支持した台座部材と、付勢手段としてのコイルスプリングを備えている。台座部材は前後方向に移動可能であり、コイルスプリングで後方へ、すなわち、集塵ユニット室内の集塵ユニットに当接する方向に付勢されている。
【０００５】
この従来技術で、集塵ユニットが集塵ユニット室に上方から装着されると、集塵ユニットの後端面が後側シール部材に接合されるとともに、集塵ユニットの前面に突設された吸込接続口が前側シール部材に接合される。これにより、吸込接続口から電動送風機の吸口に至る掃除機本体内の吸込み風路中に集塵ユニットが配置されて、電動送風機の運転に伴い吸込まれる気流中の塵が、集塵ユニットを通る際に空気から分離されてこの集塵ユニットに集められる。
【０００６】
そして、前記従来技術において、集塵ユニットが集塵ユニット室に着脱される際に、掃除機本体の接続口に装着された前側シール部材のパッキン部を、集塵ユニットの吸込接続口が押したときには、前側シール部材がコイルスプリングに抗して吸込接続口から離反する方向である前方へ移動されるので、前側シール部材と集塵ユニットとの摩擦抵抗が低減される。これにより、従来技術では、集塵ユニットの着脱性の向上と前側シール部材の摩耗抑制による耐久性の確保とともに、前側シール部材が前方に押し動かされた位置で所望のシール性を確保できる。
【先行技術文献】
【特許文献】
【０００７】
【特許文献１】特開2007-54551号公報（段落0010-0020、0059-0068、0095-0100、図１、図３−図５、図２４−図２９）
【発明の概要】
【発明が解決しようとする課題】
【０００８】
しかし、従来技術は、集塵ユニットの着脱に伴いその吸込接続口が前側シール部材に接触することで、このシール部材のシール部を、コイルスプリングの付勢力に抗して前方に退避させている。このため、集塵ユニットの着脱性及び前側シール部材の耐久性については一定の効果があるものの、十分ではない場合がある。
【０００９】
すなわち、集塵ユニットの移動に伴い、前記接触を原因として前側シール部材のシール部が捲れて、集塵ユニットの着脱性に悪影響を与えることがある。これとともに、前記接触を原因として前側シール部材のシール部の摩耗を完全になくすことはできないので、前側シール部材の耐久性についても改善の余地がある。
【００１０】
以上のように従来技術は、掃除機本体に収容された集塵体の集塵体吸込み口に対するシール性を確保できるものの、このシールを担う前側シール部材の耐久性及び集塵体収容室に対する集塵体の着脱性に改善の余地があるという課題がある。
【課題を解決するための手段】
【００１１】
本発明は、電動送風機を内蔵した掃除機本体に設けられた集塵体収容室に集塵体が上方から着脱可能に収容される電気掃除機を前提としている。
【００１２】
そして、前記課題を解決するために、本発明は、集塵体収容室に収容された集塵体の集塵体吸込み口にその前側から接離される前側シール部材と、このシール部材を集塵体収容室に対する集塵体の着脱に連動させる連動手段を備え、前側シール部材を、集塵体が集塵体収容室に着脱される際の集塵体吸込み口の移動軌跡から前側に外れた退避位置及びこの退避位置より後方で集塵体収容室に収容された集塵体の集塵体吸込み口に押当てられるシール位置にわたって移動可能に設け、連動手段により、前側シール部材を集塵体収容室に対する集塵体の着脱に連動させて退避位置とシール位置にわたって移動させるとともに、集塵体が集塵体収容室に挿入されていない状態で前側シール部材を退避位置に配置させるようにしたことを特徴としている。
【発明の効果】
【００１３】
本発明の電気掃除機によれば、掃除機本体に収容された集塵体の集塵体吸込み口に対するシール性を確保できるとともに、このシールを担う前側シール部材の耐久性及び集塵体の着脱性を向上できる、という効果がある。
【図面の簡単な説明】
【００１４】
【図１】本発明の第１の実施の形態に係る電気掃除機の掃除機本体をその本体吸込み口に吸塵ホースが接続された状態で示す概略的断面図である。
【図２】図１の電気掃除機の掃除機本体をその本体吸込み口に吸塵ホースが接続されていない状態で示す概略的断面図である。
【図３】本発明の第２の実施の形態に係る電気掃除機の掃除機本体をその本体吸込み口に吸塵ホースが接続された状態で示す概略的断面図である。
【図４】図３の電気掃除機の掃除機本体をその本体吸込み口に吸塵ホースが接続されていない状態で示す概略的断面図である。
【図５】本発明の第３の実施の形態に係る電気掃除機の掃除機本体をその本体吸込み口に吸塵ホースが接続された状態で示す概略的断面図である。
【図６】図５の電気掃除機が備えるレバーの枢軸部周りを本体吸込み口に吸塵ホースが接続された状態で示す正面図である。
【図７】図５の電気掃除機が備えるレバーの枢軸部周りを本体吸込み口に吸塵ホースが接続されていない状態で示す正面図である。
【図８】(Ａ）は、図６及び図７のレバーの一方のアーム部の枢軸部側部位を示す正面図である。（Ｂ）は同一方のアーム部の枢軸部側部位を示す側面図である。
【図９】(Ａ）は、図６及び図７のレバーの他方のアーム部の枢軸部側部位を示す正面図である。（Ｂ）は同他方のアーム部の枢軸部側部位を示す側面図である。
【発明を実施するための形態】
【００１５】
以下、図１及び図２を参照して本発明の第１の実施の形態について、詳細に説明する。
【００１６】
図１及び図２中符号１は電気掃除機を示している。電気掃除機１は室内の床面等の被掃除面上を複数の車輪(図示しない)の回転を伴って移動可能な掃除機本体２、吸込み風路体、集塵体例えば集塵ユニット１５、後側シール部材１９、連動手段２０、前側シール部材３１、及びロック手段３５等を具備している。
【００１７】
掃除機本体２の後部に電動送風機４及び図示しないコードリールが内蔵されている。電動送風機４はその吸口を前方に向けて配設されている。掃除機本体２は集塵体収容室例えばユニット収容室２ａを有している。ユニット収容室２ａは電動送風機４の前側に掃除機本体２の前部の大部分を占めて設けられている。このユニット収容室２ａの上端は開放されている。この開放された上端を通して後述する集塵ユニット１５が上方から着脱されるようになっている。
【００１８】
掃除機本体２は、電動送風機４及び図示しないコードリールが配設された掃除機本体２の後部室と、ユニット収容室２ａとの間を仕切る第１の仕切り壁５を有している。第１の仕切り壁５は電動送風機４の吸気圧をユニット収容室２ａに波及させるための通気部５ａを有している。通気部５ａは例えば第１の仕切り壁５の周部を除く略全域に設けられた複数の孔からなる。
【００１９】
掃除機本体２はその前端部に第２の仕切り壁６を有している。第２の仕切り壁６と、この後方に離れて設けられた第１の仕切り壁５と、これらの下端間にわたる掃除機本体２の底壁と、前記陵壁間にわたる掃除機本体２の側壁によりユニット収容室２ａが区画されている。第２の仕切り壁６の中央部に通孔６ａが開けられている。掃除機本体２の前壁２ｂは第２の仕切り壁６の前方に離れて設けられている。
【００２０】
ユニット収容室２ａの前側具体的には掃除機本体２の前壁２ｂに、この前壁２ｂに開放されるとともに第２の仕切り壁６の中央部に向けて突出された本体吸込み口１１が取付けられている。本体吸込み口１１は通孔６ａより小径であって、その先端は通孔６ａの中央部に対向している。本体吸込み口１１の長さは、前壁２ｂと第２の仕切り壁６間の離間距離より短い。この本体吸込み口１１に後述する吸塵ホース１３が前方から挿脱される。
【００２１】
吸込み風路体は、公知のように吸塵ホース１３と、図示しない延長管と、図示しない床面用の吸込み口体を備えている。吸塵ホース１３は、可撓性のホース部の一端に接続筒部１３ａを連結するとともに、他端にハンドルを有した手元操作管を連結して形成されている。図１に示すように吸塵ホース１３の接続筒部１３ａはロック機構部１４を有している。接続筒部１３ａは、その先端が第２の仕切り壁６の通孔６ａに達する深さまで挿入されることによって、本体吸込み口１１に接続された状態にロック機構部１４で固定される。これとともに、吸塵ホース１３の接続筒部１３ａは、ロック機構部１４のロック解除ボタン１４ａを押した状態で、本体吸込み口１１から接続筒部１３ａを引き外すことが可能である。
【００２２】
吸塵ホース１３の手元操作管の先端部に延長管の後端部が着脱可能に嵌合して接続される。手元操作管のハンドルには図示しない操作部が設けられている。この操作部の運転指示釦を押すことで、電動送風機４の起動及び停止並びに運転の強弱等を指定できる。吸込み口体は、その下面に吸込み開口（図示しない）を有した吸込みヘッド及びこのヘッドの後側中央部に設けられた接続管を有している。接続管の後端部は延長管の前端部に嵌合して接続される。
【００２３】
したがって、吸塵ホース１３を本体吸込み口１１に差し込んで掃除機本体２に接続した状態で、電動送風機４が運転されることにより、床面上から吸込まれた含塵空気が吸込み風路体の内部を通って本体吸込み口１１に導かれるようになっている。
【００２４】
集塵ユニット１５はユニット収容室２ａにその上方から着脱可能に配置されている。図１及び図２中符号１６は集塵ユニット１５の上面をなして設けられたカバー部を示している。カバー部１６は、集塵ユニット１５がユニット収容室２ａに収容された状態でユニット収容室２ａの開放された上端及び掃除機本体２の前端部上面を覆って配置される。このカバー部１６は電気掃除機１の体裁を良くするために設けたものであるが、省略することも可能である。
【００２５】
集塵ユニット１５は集塵体吸込み口としてユニット吸込み口１７を有している。このユニット吸込み口１７は例えば集塵ユニット１５の前面中央部から前方に突出する短い円筒状をなしている。ユニット吸込み口１７は、集塵ユニット１５がユニット収容室２ａに装着された状態で、図２に示すように第２の仕切り壁６の真後ろに近接しかつ通孔６ａの中央部に対向した状態に配置される。ユニット吸込み口１７の直径は接続筒部１３ａの直径に略等しい。
【００２６】
集塵ユニット１５は、塵から分離された空気を、集塵ユニット１５の後面１５ａに設けられた複数の排気孔（一つのみ図示する。）１８から排気するように形成されている。なお、図示の排気孔１８は、上下に延びるスリットであるが、これには制約されない。集塵ユニット１５の後面１５ａの周部に環状の後側シール部材１９が装着されている。後側シール部材１９はゴムやエラストマのような弾性変形が可能なシール材により形成されている。
【００２７】
この後側シール部材１９は、各排気孔１８が開口された領域を囲んで設けられているとともに、集塵ユニット１５がユニット収容室２ａに装着された状態で第１の仕切り壁５に接触して、この壁の通気部５ａを囲んだ状態に配置される。この後側シール部材１９からユニット吸込み口１７の先端（前端）までの前後方向の長さは、ユニット収容室２ａの前後方向の長さに略等しい。
【００２８】
集塵ユニット１５は、その内部に、塵分離手段（図示しない）を有しているとともに、この塵分離手段で空気から分離された塵を溜める集塵室を有している。塵分離手段は、遠心塵分離によって空気と塵を分離するサイクロン式のものでも、ろ過によって空気と塵を分離するろ過式のものでも、或いは、これらの双方を塵分離手段として備えていてもよい。なお、図１及び図２中符号１５ｂは、集塵ユニット１５の開閉可能な底蓋を示しており、この底蓋１５ｂは集塵ユニット１５が掃除機本体２外に取出された状態で集塵室に集められた塵を捨てるために開かれる。
【００２９】
掃除機本体２内に設けられた連動手段２０は、レバー２１と付勢ばね３３を備えている。
【００３０】
レバー２１は、第１のアーム部２２と第２のアーム部２３とからなり、本実施形態の場合、両アーム部２２，２３は一体に作られている。レバー２１はその両アーム部２２，２３が連続された部位に設けられた枢軸２４を中心に回動可能に支持されている。枢軸２４の図示しない両端部は図示しない枢軸支え部に支持されている。枢軸支え部は、第２の仕切り壁６と前壁２ｂとの間の空隙Ｇに臨んで例えば第２の仕切り壁６等に設けられている。
【００３１】
第１のアーム部２２の大部分は、ユニット収容室２ａに収容された集塵ユニット１５を下側から受けるためにユニット収容室２ａの底部に収められている。この第１のアーム部２２の前端部は、第２の仕切り壁６の下端部を貫通して、この第２の仕切り壁６と前壁２ｂとの間の空隙Ｇに挿入されている。第１のアーム部２２の後端部２２ａは第１の仕切り壁５に接近している。
【００３２】
第２のアーム部２３は、第１のアーム部２２の前端部から上向きに突出されていて、空隙Ｇ内に上方向に延びて設けられている。
【００３３】
第２のアーム部２３は例えばアームベース２５と部材ホルダ２６とからなる。この第２のアーム部２３は第１のアーム部２２より短く、それにより、レバー２１はＬ形のベルクランク状をなしている。アームベース２５は、第１のアーム部２２の前端部に一体に連続していて、この前端部から上向きに折り曲げられている。
【００３４】
部材ホルダ２６は、アームベース２５に連結されていて、このアームベース２５の上方に突出されている。この部材ホルダ２６に嵌合凸部２６ａが後向きに突出して形成されている。これとともに、嵌合凸部２６ａの中央部にシール部材取付け孔２７が開口されている。部材ホルダ２６は第２の仕切り壁６の通孔６ａより大きく形成されていて、枢軸２４を中心とする第２のアーム部２３の回動に伴い通孔６ａの周りに第２の仕切り壁６の前側から接離可能である。嵌合凸部２６ａは通孔６ａにその前側から挿脱可能な大きさに形成されている。
【００３５】
前側シール部材３１は、ゴムやエラストマ等の弾性変形が可能な材料でリング形に作られた一体成型品であって、第２のアーム部２３に装着されている。この前側シール部材３１は、シール部材取付け孔２７を覆った孔覆い部と、シール部材取付け孔２７の孔縁部前面を覆った前面覆い部と、シール部材取付け孔２７の孔縁部後面を覆った後面覆い部を有している。なお、前側シール部材３１は、前記各部の内で少なくとも後面覆い部のみで形成されていても良い。
【００３６】
前側シール部材３１は、これが装着された第２のアーム部２３の枢軸２４を中心とする回動に伴い、退避位置とシール位置にわたって移動可能である。
【００３７】
前側シール部材３１が退避位置に配置された状態は図２に示されている。この退避位置に在る前側シール部材３１は、集塵ユニット１５に装着された後側シール部材１９を第１の仕切り壁５に接触させるようにして集塵ユニット１５がユニット収容室２ａに着脱される際における集塵ユニット１５のユニット吸込み口１７の移動軌跡から前側に外れている。
【００３８】
前側シール部材３１がシール位置に配置された状態は図１に示されている。このシール位置に在る前側シール部材３１は、ユニット収容室２ａに装着された集塵ユニット１５のユニット吸込み口１７の前端面に押し当てられている。
【００３９】
レバー２１は、その第２のアーム部２３が退避位置に配置される方向に付勢ばね３３で付勢されている。付勢ばね３３には例えばコイルばねを好適に用いることができる。この付勢ばね３３は、例えば第１のアーム部２２と掃除機本体２の底壁との間に挟まれている。なお、付勢ばね３３は、第２のアーム部２３と前壁２ｂとの間に挟んで設けることもでき、或いは、コイルばねに代えて、一端部がレバー２１に係止されるとともに他端部が前記図示しない枢軸支え部等の固定部に係止される捻りばねを用いてレバー２１を付勢することもできる。
【００４０】
本実施形態のようにコイルばね製の付勢ばね３３を、集塵体収容室であるユニット収容室２ａ内で第１のアーム部２２の下側でかつ後端部２２ａに寄せて配設した構成では、付勢ばね３３を空隙Ｇに配設する場合に比較して配設し易い。それだけではなく、レバー２１の回動に伴う第２のアーム部２３の上端の移動量に比較して第１のアーム部２２の後端の移動量が大きいため、自由長が長い付勢ばね３３を使用することが可能となる。このため、付勢ばね３３の選定の自由度が高いとともに、こうして選定された付勢ばね３３の配設スペースを確保するために空隙Ｇを広げて掃除機本体２の前後方向の長さを大きくする必要もない点で好ましい。  
掃除機本体２に設けられたロック手段３５は、前側シール部材３１がシール位置に配置された状態でレバー２１を固定するとともに、この固定を解除可能である。このロック手段３５は、例えばロック部材３６と、図示しないロックばねと、解除部３７と、解除釦３８等を備えている。
【００４１】
ロック部材３６は、第１の仕切り壁５の下端部にこれを前後方向に貫通して取付けられているとともに、図示しないロックばねにより前方へ付勢されている。ユニット収容室２ａに挿入されたロック部材３６の前部は、その前端に行くに従い下がる斜状面を有している。ロック部材３６の前部に第１のアーム部２２の後端部２２ａが係脱可能である。解除部３７は、ロック部材３６と解除釦３８にわたって設けられていて、解除釦３８が押し込み操作されることに連動して作動し、それにより、ロックばねに抗してロック部材３６を後退させるように構成されている。解除釦３８は掃除機本体２の後部上面等に配置されていて、使用者により押し込み可能に設けられている。
【００４２】
以上の構成を備えた電気掃除機１において、集塵ユニット１５の塵捨てをする場合等に、この集塵ユニット１５を掃除機本体２のユニット収容室２ａに出し入れするには、予め吸込み風路体の吸塵ホース１３が有した接続筒部１３ａを掃除機本体２から抜き外した状態で行う。
【００４３】
この状態で、ロック手段３５の解除釦３８を下方へ押込んでロック手段３５を解除操作することで、連動手段２０のレバー２１を回動させて、図２に示すように前側シール部材３１が退避位置に配置させることができるとともに、ユニット収容室２ａに収容されていた集塵ユニット１５をポップアップさせることができる。
【００４４】
即ち、解除釦３８の押し込みに連動して解除部３７がロック部材３６を図示しないロックばねに抗して後退させるに伴い、このロック部材３６がレバー２１の第１のアーム部２２の後端部２２ａから外されて、この第１のアーム部２２の固定が解除される。このため、それまで圧縮状態にあった付勢ばね３３が第１のアーム部２２を押上げる。それにより、レバー２１が図中時計回りに回動されると同時に、第１のアーム部２２によりその上に載置されている集塵ユニット１５がポップアップされる。
【００４５】
このような集塵ユニット１５の取出し初期において、レバー２１が時計回りに回動を始めると、直ちに、第２のアーム部２３に装着されている前側シール部材３１が、ユニット収容室２ａに収容されている集塵ユニット１５のユニット吸込み口１７より前側に離れ始めて、やがては図２に示した退避位置に配置される。このため、集塵ユニット１５がポップアップされる際に、ユニット吸込み口１７が、前側シール部材３１を擦るようにこの前側シール部材３１と干渉することを抑制できる。
【００４６】
したがって、前側シール部材３１が捲くれること及びそれに伴い前側シール部材３１の摩耗が促進される恐れがなく、しかも、前側シール部材３１が摩擦抵抗となることがなく、円滑に集塵ユニット１５をポップアップさせることができる。しかも、以上のように集塵ユニット１５がポップアップされているので、この集塵ユニット１５を掃除機本体２のユニット収容室２ａから上方に容易に取出すことができる。
【００４７】
集塵ユニット１５が外されたことに伴い、図２に示した退避位置に配置された前側シール部材３１は、ユニット収容室２ａに集塵ユニット１５が着脱される際のこの集塵ユニット１５のユニット吸込み口１７の移動軌跡により前側に配置されている。そして、集塵ユニット１５が装着されていない限り、前側シール部材３１は図２に示した退避位置に保持されている。
【００４８】
このため、塵捨て後等に、集塵ユニット１５をその後面１５ａに装着した後側シール部材１９を第１の仕切り壁５に沿うようにようにして掃除機本体２のユニット収容室２ａに上方から下方に押し込んで装着収容する際に、ユニット吸込み口１７が前側シール部材３１を擦るようにこの前側シール部材３１と干渉することを抑制できる。これにより、前側シール部材３１が捲くれること及びそれに伴い前側シール部材３１の摩耗が促進される恐れがなく、しかも、前側シール部材３１が摩擦抵抗となることがなく、円滑に集塵ユニット１５をユニット収容室２ａに収容できる。
【００４９】
こうしたユニット収容室２ａへの集塵ユニット１５の収容に伴い、集塵ユニット１５の底蓋１５ｂが第１のアーム部２２に上方から当たり、この時点以降（集塵ユニット１５の装着末期）は、第１のアーム部２２が押下げられるので、レバー２１が付勢ばね３３を圧縮させながら図２中反時計回りに回動される。これにより、それまで斜めであった第２のアーム部２３が垂直に起きるようになるので、第２のアーム部２３の嵌合凸部２６ａが第２の仕切り壁６の通孔６ａに通されて、この嵌合凸部２６ａに装着されている前側シール部材３１が、集塵ユニット１５のユニット吸込み口１７の前端面に押し当てられる。これと同時に、嵌合凸部２６ａを有した部材ホルダ２６が通孔６ａを閉じるように第２の仕切り壁６の前面に当接される。
【００５０】
そして、このように前側シール部材３１がシール位置に達する直前に、集塵ユニット１５で押下げられた第１のアーム部２２の後端部２２ａは、ロック手段３５のロック部材３６を後方へ押し込みながら、このロック部材３６の下側に通過する。この直後、ロック部材３６が図示しないロックばねで前方へ押し戻されて、このロック部材３６が、略水平に配置された第１のアーム部２２の後端部２２ａの上面に係合する。
【００５１】
こうして前側シール部材３１がシール位置に達すると同時に、レバー２１がロック手段３５で固定される。これとともに、集塵ユニット１５がユニット収容室２ａに所定の深さにまで収容される。それにより、集塵ユニット１５のユニット収容室２ａへの装着が完了し、その状態は図１に示される。
【００５２】
こうした集塵ユニット１５の装着において、既述のように第２のアーム部２３が枢軸２４を支点に後方に回動して前側シール部材３１を退避位置からシール位置に移動させる際、前側シール部材３１がユニット吸込み口１７に押し当てられる。したがって、前側シール部材３１がユニット吸込み口１７に密接してこれらの間のシール性を強く確保できる。それだけではなく、第２のアーム部２３により集塵ユニット１５が後方に押されるので、集塵ユニット１５の後面１５ａに装着された後側シール部材１９が第１の仕切り壁５に押付けられるので、これらの間のシール性も強く確保できる。
【００５３】
しかも、本実施形態では、吸塵ホース１３の接続筒部１３ａが本体吸込み口１１に挿入され、所定の挿入深さに達してロック機構部１４で固定された状態では、図１に示すように接続筒部１３ａの先端が前側シール部材３１に密接されて、吸塵ホース１３でも集塵ユニット１５が後方に押される。したがって、前側シール部材３１とユニット吸込み口１７間のシール性、及び後側シール部材１９と第１の仕切り壁５間のシール性を、更に強く確保できる。
【００５４】
以上のように集塵ユニット１５の前後両側、つまり吸気側と排気側でのシール性を、第２のアーム部２３の後方への回動、及び本体吸込み口１１への接続筒部１３ａの挿入を利用して強化することができ、それに伴い電気掃除機１の使用時の吸塵性能も向上できる。
【００５５】
そして、図１に示した状態では付勢ばね３３が撓んで圧縮された状態にあるので、レバー２１の第１のアーム部２２は上向きに付勢された状態に保持されている。そのため、吸塵ホース１３の接続筒部１３ａが本体吸込み口１１から抜き外された状態で、解除釦３８が押下げ操作されることにより、既述のように前側シール部材３１がシール位置から退避位置に移動されるとともに、集塵ユニット１５がポップアップされる。
【００５６】
以上のように本実施形態の電気掃除機１は、その掃除機本体２に装着された集塵ユニット１５のユニット吸込み口１７に対するシール性を確保できるとともに、このシールを担う前側シール部材３１の耐久性及びユニット収容室２ａに対する集塵ユニット１５の着脱性を向上できる。
【００５７】
なお、第１実施形態では、後側シール部材１９を集塵ユニット１５の後面１５ａに装着したが、これに代えて第１の仕切り壁５の前面に通気部５ａを囲んで後側シール部材１９を装着し、集塵ユニット１５がユニット収容室２ａに装着された状態で、この集塵ユニット１５の後面１５ａと第１の仕切り壁５間で後側シール部材１９を挟持して、集塵ユニット１５の後面と第１の仕切り壁５間のシール性を確保しても良い。
【００５８】
図３及び図４を参照して本発明の第２の実施の形態を説明する。第２実施形態は以下説明する事項以外は図３及び図４に示されない部分を含めて第１実施形態と同じであるから、第１実施形態と同一構成については第１実施形態と同じ符号を付してその説明を省略する。
【００５９】
第２実施形態では、集塵ユニットに代えて集塵体として集塵袋４１が用いられている。この集塵袋４１は、ボール紙等の厚紙からなる口枠４２に通気性のろ過袋４３を装着して形成されている。口枠４２はその中央部に集塵体吸込み口として入口開口４２ａを有している。
【００６０】
第２実施形態では、集塵体収容室として集塵室２ｃが掃除機本体２に形成されている。集塵室２ｃは掃除機本体２の上面に開口されており、この開口は第１実施形態のカバー部に代えて用いられた本体蓋８(図３参照)で気密に閉じられている。本体蓋８の後端部は掃除機本体２の上面部に回動可能に連結されており、この回動を伴う本体蓋８の起倒により掃除機本体２の上面開口が開閉される。図３及び図４中符号９は本体蓋８の裏面に装着されて掃除機本体２の上面に接離される環形をなすゴム製のシール材を示しており、これは、本体蓋８が伏せられた状態に図示しない蓋ロック手段で保持されたときに、掃除機本体２の上面開口の周りに接触して集塵室２ｃの気密を確保する。
【００６１】
第２実施形態では、集塵袋４１の口枠４２を支持するための口枠ホルダ４５が、第２の仕切り壁６に接近して集塵室２ｃに配設されている。口枠ホルダ４５は、ホルダ下枠部４５ａ及びこの両端から略直角をなして上向きに折れ曲がった左右一対のホルダ側枠部４５ｂ（一方のみ図示）とからなり、これらホルダ下枠部４５ａとホルダ側枠部４５ｂにわたって互いに連続したホルダ溝４５ｃが形成されている。
【００６２】
ホルダ溝４５ｃは、口枠ホルダ４５の内側空所に開放されているとともに、左右一対のホルダ側枠部４５ｂの上端にも開放されている。ホルダ溝４５ｃにその上方から口枠４２が挿脱可能に嵌入されることにより、口枠ホルダ３５は、口枠４２を略垂直に立てて集塵室２ｃ内に支持する。こうした支持状態で、図３に示すように口枠４２の入口開口４２ａは、第２の仕切り壁６の通孔６ａ及びその前方の本体吸込み口１１に対向される。
【００６３】
口枠４２の下縁部が嵌入されるホルダ下枠部４５ａは，これを厚み方向（掃除機本体２の前後方向）に貫通する逃げ部４５ｄを有している。逃げ部４５ｄは口枠ホルダ４５の内側空所に開放されている。この逃げ部４５ｄにレバー２１の第１のアーム部２２が通されていて、レバー２１の回動運動を逃げ部４５ｄで許容している。
【００６４】
又、第２実施形態では、気密が保持される集塵室２ｃに集塵体として集塵袋４１を配置した関係で、第１実施形態で用いた後側シール部材は省略されている。なお、以上説明した以外の構成は、図３及び図４に示されない構成を含めて第１実施形態と同じである。
【００６５】
第２実施形態の電気掃除機１において、本体蓋８が開かれた状態で集塵袋４１を交換する場合等、集塵袋４１を掃除機本体２の集塵室２ｃに出し入れするには、予め吸込み風路体の吸塵ホース１３が有した接続筒部１３ａを掃除機本体２から抜き外した状態で行う。
【００６６】
この状態で、ロック手段３５の解除釦３８を下方へ押込んでロック手段３５の解除操作をすることで、レバー２１を回動させて、図４に示すように前側シール部材３１を退避位置に配置させるとともに、集塵室２ｃに収容されていた集塵袋４１をポップアップさせることができる。
【００６７】
即ち、解除釦３８の押し込みに連動して解除部３７がロック部材３６を図示しないロックばねに抗して後退させるに伴い、このロック部材３６がレバー２１の第１のアーム部２２の後端部２２ａから外されて、この第１のアーム部２２の固定が解除される。このため、それまで圧縮状態にあった付勢ばね３３が第１のアーム部２２を押上げる。それにより、レバー２１が図中時計回りに回動されると同時に、第１のアーム部２２によりその上に載置されている集塵袋４１がポップアップされる。この場合、第１のアーム部２２により、口枠４２及び塵が溜められていて形状の保持が可能となった状態のろ過袋４３が押上げられてポップアップが開始され、それがある程度進んだ段階でろ過袋４３の押上げが継続されることで、図４に示すように集塵袋４１がポップアップされる。
【００６８】
集塵袋４１の取出し初期において、レバー２１が時計回りに回動を始めると、直ちに、第２のアーム部２３に装着されている前側シール部材３１が、集塵室２ｃに収容されている集塵袋４１の入口開口４２ａより前側に離れ始めて、やがては図４に示した退避位置に配置される。このため、集塵袋４１がポップアップされる際に、入口開口４２ａを有した口枠４２が、前側シール部材３１を擦るようにこの前側シール部材３１と干渉することを抑制できる。
【００６９】
したがって、前側シール部材３１が捲くれること及びそれに伴い前側シール部材３１の摩耗が促進される恐れがなく、しかも、前側シール部材３１が摩擦抵抗となることがなく、円滑に集塵袋４１をポップアップさせることができる。しかも、以上のように集塵袋４１がポップアップされているので、この集塵袋４１を掃除機本体２の集塵室２ｃから上方に容易に取出すことができる。
【００７０】
集塵袋４１が外されたことに伴い、図４に示した退避位置に配置された前側シール部材３１は、集塵室２ｃに集塵袋４１が着脱される際のこの集塵袋４１の入口開口４２ａの移動軌跡により前側に配置されている。そして、集塵袋４１が装着されていない限り、前側シール部材３１は図４に示した退避位置に保持されている。
【００７１】
このため、塵捨て後等に、集塵袋４１の口枠４２を口枠ホルダ４５のホルダ溝４５ｃに上方から下方に押し込んで嵌入させることにより、掃除機本体２の集塵室２ｃに集塵袋４１を装着する際に、入口開口４２ａを有した口枠４２が前側シール部材３１を擦るようにこの前側シール部材３１と干渉することを抑制できる。これにより、前側シール部材３１が捲くれること及びそれに伴い前側シール部材３１の摩耗が促進される恐れがなく、しかも、前側シール部材３１が摩擦抵抗となることがなく、円滑に集塵袋４１を集塵室２ｃに収容できる。
【００７２】
こうした集塵室２ｃへの集塵袋４１の収容に伴い、集塵袋４１の口枠４２が第１のアーム部２２の前側部位に上方から当たり、この時点以降（集塵袋４１の装着末期）は、第１のアーム部２２が押下げられるので、レバー２１が付勢ばね３３を圧縮させながら図４中反時計回りに回動される。これにより、それまで斜めであった第２のアーム部２３が垂直に起きるようになるので、第２のアーム部２３の嵌合凸部２６ａが第２の仕切り壁６の通孔６ａに通されて、この嵌合凸部２６ａに装着されている前側シール部材３１が、口枠ホルダ４５に支持された口枠４２の入口開口４２ａの周部前面に押し当てられる。これと同時に、嵌合凸部２６ａを有した部材ホルダ２６が通孔６ａを閉じるように第２の仕切り壁６の前面に当接される。
【００７３】
そして、このように前側シール部材３１がシール位置に達する直前に、集塵袋４１の口枠４２で押下げられた第１のアーム部２２の後端部２２ａは、ロック手段３５のロック部材３６を後方へ押し込みながら、このロック部材３６の下側に通過する。この直後、ロック部材３６が図示しないロックばねで前方へ押し戻されて、このロック部材３６が第１のアーム部２２の後端部２２ａの上面に係合する。
【００７４】
こうして前側シール部材３１がシール位置に達すると同時に、レバー２１がロック手段３５で固定される。これとともに、集塵袋４１が集塵室２ｃに所定の深さにまで収容される。それにより、集塵袋４１の集塵室２ｃへの装着が完了し、その状態を図３に示す。
【００７５】
既述のように第２のアーム部２３が枢軸２４を支点に後方に回動して前側シール部材３１を退避位置からシール位置に移動させながら集塵袋４１が適正に装着された状態では、第２のアーム部２３の回動で前側シール部材３１が、入口開口４２ａを囲んで口枠４２に前側から押し当たることに伴って、この前側シール部材３１が口枠４２に密接してこれらの間のシール性が強く確保される。
【００７６】
しかも、第２実施形態で、集塵袋４１が装着された後に、吸塵ホース１３の接続筒部１３ａが本体吸込み口１１に挿入され、所定の挿入深さに達してロック機構部１４で固定された状態では、図３に示すように接続筒部１３ａの先端が前側シール部材３１に密接されて、吸塵ホース１３でも集塵袋４１が後方に押される。したがって、前側シール部材３１と集塵袋４１の口枠４２間のシール性を、更に強く確保できる。
【００７７】
以上のように集塵袋４１の吸気側でのシール性を、第２のアーム部２３の後方への回動、及び本体吸込み口１１への接続筒部１３ａの挿入を利用して強化することができ、それに伴い電気掃除機１の使用時の吸塵性能も向上できる。
【００７８】
そして、図３に示した状態では付勢ばね３３が撓んで圧縮された状態にあるので、レバー２１の第１のアーム部２２は上向きに付勢された状態に保持されている。そのため、吸塵ホース１３の接続筒部１３ａが本体吸込み口１１から抜き外された状態で、解除釦３８が押下げ操作されることにより、既述のように前側シール部材３１がシール位置から退避位置に移動されるとともに、集塵袋４１がポップアップされる。
【００７９】
以上のように第２実施形態の電気掃除機１は、その掃除機本体２に装着された集塵袋４１の入口開口４２ａに対するシール性を確保できるとともに、このシールを担う前側シール部材３１の耐久性及び集塵室２ｃに対する集塵袋４１の着脱性を向上できる。
【００８０】
図５〜図９を参照して本発明の第３の実施の形態を説明する。第３実施形態は、連動手段をなしたレバー２１の構成及び退避用ばねを追加した以外は、第１実施形態と同じであるから、同一構成については第１実施形態と同じ符号を付してその説明を省略する。
【００８１】
第３実施形態で、レバー２１は、第１のアーム部２２と第２のアーム部２３が一体品ではなく、互いに別部材で作られている。
【００８２】
図９（Ａ）（Ｂ）に示すように第１のアーム部２２は、その前端部側面に突出形成された駆動部２８を有している。駆動部２８は例えばリブ状の突起からなる。図８（Ａ）（Ｂ）に示すように第２のアーム部２３は、その下端部側面に突出形成された受動部２９を有している。受動部２９は、例えば半円形の凸部からなる。第１のアーム部２２と第２のアーム部２３は、それらの駆動部２８と受動部２９が係脱されるように組み合わされていて、駆動部２８は図８（Ａ）に示した受動部２９の受動面２９ａに前側から接離可能である。
【００８３】
図５に示すように第２のアーム部２３の部材ホルダ２６と掃除機本体２の前壁２ｂとの間に退避用ばね３０が張り渡されている。この退避用ばね３０で第２のアーム部２３が枢軸２４を支点として第２の仕切り壁６から前側に離れる方向に付勢されている。第３実施形態では、退避用ばね３０のばね力は付勢ばね３３のばね力(付勢力)より弱い。
【００８４】
なお、以上説明した以外の構成は、図５〜図９に示されない構成を含めて第１実施形態と同じである。これとともに、第３実施形態の作用は以下説明する作用以外は第１実施形態と同じである。
【００８５】
ユニット収容室２ａに対する集塵ユニット１５の装着終期においてのみ駆動部２８と受動部２９の受動面２９ａとの係合により、両アーム部２２，２３が連動状態となる。これとともに、前記時期以外の時期は、両アーム部２２，２３が非連動状態となる。
【００８６】
すなわち、図５に示すようにユニット収容室２ａに集塵ユニット１５が装着され、この集塵ユニット１５により押下げられた第１のアーム部２２は略水平となった状態での駆動部２８と受動部２９の関係を図６に示す。この状態では、略垂直になった駆動部２８が受動部２９の受動面２９ａに押し当たった係合状態にあるので、退避用ばね３０のばね力に抗して第２のアーム部２３は、略垂直に立って、前側シール部材３１をシール位置に配置した状態に保持されている。
【００８７】
このユニット装着状態から第１実施形態で説明した手順で集塵ユニット１５がユニット収容室２ａからポップアップされる際、まず、付勢ばね３３の押上げにより第１のアーム部２２が時計回りに回転を始める。この場合、駆動部２８は受動部２９の受動面２９ａから離れる方向に移動するので、第１のアーム部２２によって第２のアーム部２３が回転されることはない。
【００８８】
しかし、第２のアーム部２３は退避用ばね３０で前側に引っ張られているので、図７に角度θで示した範囲については、駆動部２８と受動部２９の係合が維持されて第２のアーム部２３は第１のアーム部２２に追従して時計回りに回動される。こうして集塵ユニット１５の取出し初期に、退避用ばね３０のばね力で、第２のアーム部２３が枢軸２４を支点として前側に傾けられることにより、この第２のアーム部２３に装着されている前側シール部材３１は退避位置に移動される。そして、角度θだけ第２のアーム部２３が回転された時点で退避用ばね３０は自由長となるので、それ以上、第２のアーム部２３を時計回りに回転させようとする力は消失する。こうした状態での第１のアーム部２２の配置を図７中二点鎖線で示す。
【００８９】
退避用ばね３０が自由長となった後にも付勢ばね３３により第１のアーム部２２が押上げられて、集塵ユニット１５のポップアップ動作が継続される。この場合、既に前側に傾けられて静止状態にある第２のアーム部２３の受動部２９の受動面２９ａから第１のアーム部２２の駆動部２８が前側に離されるので、この時点での第１のアーム部２２の回動に第２のアーム部２３は連動しない。こうしてポップアップ完了状態にまで回動された第１のアーム部２２の配置を図７中実線で示す。
【００９０】
したがって、第２のアーム部２３の回動範囲よりも大きく第１のアーム部２２を回動させて、集塵ユニット１５をより高くポップアップさせることができる。これとともに、こうしたポップアップにも拘らずに第２のアーム部２３が配設された空隙Ｇの前後方向寸法を大きくする必要がないので、掃除機本体２の前後方向の長さの大型化を招くことがない。
【００９１】
以上の集塵ユニット１５の取出しとは逆に、この集塵ユニット１５がユニット収容室２ａに装着される場合、集塵ユニット１５で押下げられる第１のアーム部２２が図７中実線に示す位置から二点鎖線で示す位置まで到達する期間において、駆動部２８は受動部２９の受動面２９ａに当たらないので、前側シール部材３１を退避位置に保持している第２のアーム部２３は、枢軸２４を支点に反時計回りに回転される第１のアーム部２２に対して連動しない。
【００９２】
引き続き第１のアーム部２２が集塵ユニット１５で更に押下げられて、図７中実線に示す位置を越えて二点鎖線で示す位置に到達すると、この第１のアーム部２２がロック手段で定位置に固定される。この期間は、ユニット収容室２ａに対する集塵ユニット１５の装着終期である。そして、この期間においては、駆動部２８が受動部２９の受動面２９ａにその前側から押し当たって、既述のように第１のアーム部２２が反時計回りに回転される。このため、この第１のアーム部２２に第２のアーム部２３が連動して、前記角度θの範囲を、枢軸２４を支点として後向きに回動する。これにより、第２のアーム部２３に装着された前側シール部材３１が、退避位置からシール位置に移動されて、図５に示すように集塵ユニット１５のユニット吸込み口１７に密接した状態に保持される。
【００９３】
したがって、第３実施形態の電気掃除機１は、第１実施形態で既に説明した理由と同様の理由により、掃除機本体２に収容された集塵ユニット１５のユニット吸込み口１７に対するシール性を確保できるとともに、このシールを担う前側シール部材３１の耐久性及びユニット収容室２ａに対する集塵ユニット１５の着脱性を向上できる。加えて、この第３実施形態では、連動手段としてベルクランク状のレバー２１を採用しているにも拘らず、既述のように集塵ユニット１５の装着終期以外は第２のアーム部２３が駆動部２８及び受動部２９を介して第１のアーム部２２に連動されることがないので、掃除機本体２の前後方向の大型化を招くことなく集塵ユニット１５がポップアップする高さをより高くできる利点がある。
【符号の説明】
【００９４】
１…電気掃除機、２…掃除機本体、２ａ…ユニット収容室(集塵体収容室)、２ｃ…集塵室（集塵体収容室)、４…電動送風機、５…仕切り壁、５ａ…通気部、１１…本体吸込み口、１３…吸塵ホース、１５…集塵ユニット(集塵体)、１５ａ…集塵ユニットの後面、１７…ユニット吸込み口(集塵体吸込み口)、１８…排気孔、１９…後側シール部材、２０…連動手段、２１…レバー、２２…第１のアーム部、２３…第２のアーム部、２４…枢軸、２８…駆動部、２９…受動部、３０…退避用ばね、３１…前側シール部材、３２…付勢ばね、３５…ロック手段、４１…集塵袋(集塵体) 
【図１】
2010194103.tif 000003
【図２】
2010194103.tif 000004
【図３】
2010194103.tif 000005
【図４】
2010194103.tif 000006
【図５】
2010194103.tif 000007
【図６】
2010194103.tif 000008
【図７】
2010194103.tif 000009
【図８】
2010194103.tif 000010
【図９】
2010194103.tif 000011